(57)【特許請求の範囲】
【請求項１】
比較的遠くを見るための遠用部領域と、比較的近くを見るための近用部領域と、前記遠用部領域と前記近用部領域との間にあって屈折力が連続的に変化する中間部領域とを有する累進多焦点レンズであって、
前記中間部領域内の主注視線上のプリズム屈折力の水平成分が、前記遠用部領域内に設定された遠用部プリズム測定基準点におけるプリズム屈折力の水平成分の値から、前記近用部領域内に設定された近用部プリズム測定基準点におけるプリズム屈折力の水平成分の値へと連続的に変化し、
且つ、前記中間部領域内の主注視線上のプリズム屈折力の水平成分が、前記主注視線上の屈折力の変化の規則と同じ規則で変化することを特徴とする累進多焦点レンズ。
【発明の詳細な説明】
【０００１】
【発明の属する技術分野】
本発明は、遠用部と近用部とで異なるプリズム作用を有する累進多焦点レンズおよびその製造方法に関するものである。
【０００２】
【従来の技術】
累進多焦点レンズは遠くを見るための遠用屈折力を有する遠用部と、手元を見るための近用屈折力を有する近用部と、前記遠用部と近用部との間に有って屈折力が連続的に変化する中間部とを有する。遠用屈折力と近用屈折力との差を加入屈折力と呼び、一般的には０．５０Ｄ（ディオプトリ）〜４．００Ｄの屈折力範囲で０．２５Ｄ毎に予め用意されている。従って、眼鏡装用者の老視の程度に合わせて適切な加入屈折力を選択することができる。このように、遠用部屈折力と近用部屈折力とは実使用上問題の無い範囲で自由に選択ができるようになっている。
【０００３】
一般に、眼鏡装用者の処方の中には、上記の遠用部屈折力や近用部屈折力といった焦点作用に関係した屈折力の他に、視線の方向を変化させる作用を有するプリズム屈折力が存在する。累進多焦点レンズを製造する場合は遠用部のプリズム屈折力を決めると、近用部のプリズム屈折力は累進屈折面の形状や遠用部屈折力および加入屈折力によって決まってしまい、近用部のプリズム屈折力を自由に選択又は指定することはできなかった。
【０００４】
【発明が解決しようとする課題】
しかしながら、遠用部のプリズム屈折力と近用部のプリズム屈折力は本来別々に処方されるのが望ましいことは言うまでもない。左右眼のプリズムが正しく処方されない場合には、物が二重に見えたり遠近感が異なって見えたりするので、眼鏡を長時間掛けることが苦痛になる。特に老視者は調節力の減少に伴い輻輳力も働きにくくなるため、近見時には基底内方のプリズムで補正しないと両眼視が困難な場合もある。
【０００５】
本発明の累進多焦点レンズは、遠用部のプリズム屈折力の水平成分と、近用部のプリズム屈折力の水平成分とを別々に指定できるようにすることで、遠方視時および近方視時のどちらにおいても快適に両眼視を行うことができ、長時間の装用を可能にする眼鏡レンズを提供する。
【０００８】
【課題を解決するための手段】
本発明の累進多焦点レンズは、比較的遠くを見るための遠用部領域と、比較的近くを見るための近用部領域と、前記遠用部領域と前記近用部領域との間にあって屈折力が連続的に変化する中間部領域とを有する累進多焦点レンズであって、前記中間部領域内の主注視線上のプリズム屈折力の水平成分が、前記遠用部領域内に設定された遠用部プリズム測定基準点におけるプリズム屈折力の水平成分の値から、前記近用部領域内に設定された近用部プリズム測定基準点におけるプリズム屈折力の水平成分の値へと連続的に変化し、且つ、前記中間部領域内の主注視線上のプリズム屈折力の水平成分が、前記主注視線上の屈折力の変化の規則と同じ規則で変化することを特徴とする。
【００１２】
【発明の実施の形態】
図１は累進多焦点レンズの概略図である。レンズ１の上部に遠用部領域１１があり、レンズ下部に近用部領域１３がある。中間部領域１２は遠用部領域１１と近用部領域１３との間にある。遠用部領域１１の下端に遠用部プリズム測定基準点２１があり、近用部領域１３の上端に近用部プリズム測定基準点２２が存在する。本発明の累進多焦点レンズでは遠用部プリズム測定基準点２１および近用部プリズム測定基準点２２はそれぞれ遠用部設計基準点および近用部設計基準点に対応している。遠用部プリズム測定基準点２１と近用部プリズム測定基準点２２とを結ぶ線分は中間部主注視線２３であり、眼鏡装用者の視線がもっとも頻繁に通過する仮定された設計上の仮想線である。遠用部プリズム測定基準点２１を通るレンズの水平断面Ａ−Ａ’を図２に示す。また、近用部プリズム測定基準点２２を通る水平断面Ｂ−Ｂ’を図３に示す。図２，図３において３１はレンズの物体側屈折面を、３２はレンズの眼球側屈折面をそれぞれ示す。
【００１３】
図２において、遠用部プリズム測定基準点２１を通り、眼球側屈折面３２に垂直な線分と眼球側屈折面３２との交点を４１とする。遠用部プリズム測定基準点２１における物体側屈折面３１の接線５１と、交点４１を通る眼球側屈折面３２の接線５２との成す角をαとすると、遠用部プリズム測定基準点２１におけるプリズム屈折力の水平成分Ｐ１は以下の式で表される。
Ｐ１＝１００・tan（（ｎ−１）・α）      （１）
ここで、ｎはレンズ基材の屈折率である。
【００１４】
図３において、近用部プリズム測定基準点２２を通り、眼球側屈折面３２に垂直な線分と眼球側屈折面３２との交点を４２とする。近用部プリズム測定基準点２２における物体側屈折面３１の接線５３と、交点４２を通る眼球側屈折面３２の接線５４との成す角をβとすると、近用部プリズム測定基準点２２におけるプリズム屈折力の水平成分Ｐ２は以下の式で表される。
【００１５】
Ｐ２＝１００・tan（（ｎ−１）・β）      （２）
従来の一般的な累進多焦点レンズでは、あらかじめ物体側屈折面３１の形状が決まっており、また眼球側屈折面３２は眼鏡レンズ装用者の処方度数のうち球面屈折力および乱視屈折力により形状が決まってしまうため、前記成す角αとβとを独立して設定することができなかった。すなわち、遠用部プリズム屈折力の水平成分Ｐ１が指定されて角度αが決まると自動的に角βが決まってしまい、近用部プリズム屈折力Ｐ２も必然的に決まっていた。
【００１６】
本発明の累進多焦点レンズでは、前記角αと角βとをそれぞれ独立して設定できるようにしたので、遠用部プリズム屈折力Ｐ１と近用部プリズム屈折力Ｐ２とを別々に処方できるようになり、輻輳力が弱まった老視者でも快適に近くのものが見えるようになった。
【００１７】
以下では、本発明をより具体的に説明する。図１における中間部主注視線２３上のプリズム屈折力の水平成分の変化を図４に示す。横軸は遠用部プリズム測定基準点からの距離を示し、縦軸はプリズム屈折力を示す。中間部プリズム屈折力の水平成分は、遠用部プリズム測定基準点のプリズム水平成分Ｐ１から、近用部プリズム測定基準点のプリズム水平成分Ｐ２まで滑らかに変化している。また、中間部主注視線２３に沿った平均屈折力の変化を図５に示す。図４と図５を比較すると、中間部主注視線２３に沿ったプリズム屈折力の水平成分は平均屈折力の変化と同じ割合で変化していることがわかる。なお、図５でＡ１およびＡ２はそれぞれ遠用部プリズム測定基準点２１および近用部プリズム測定基準点２２における平均屈折力を表す。このように、プリズム屈折力の変化を平均屈折力の変化と同じように滑らかに変化させたので、遠用部から近用部まで像の飛びが無い滑らかな視野を有する累進多焦点レンズを提供することができた。
【００１８】
【発明の効果】
遠用部領域におけるプリズム屈折力の水平成分と、近用部領域におけるプリズム屈折力の水平成分とを別々に指定および加工ができるため、老視者が近方視するときの輻輳量の減少を補うことができ、長時間近方視を続けても疲れない累進多焦点レンズを提供できる。さらに、中間部主注視線上のプリズム屈折力水平成分が遠用部領域から近用部領域に向かうにつれ滑らかに変化するため、像の飛びのない滑らかな視野を提供できる。
【図面の簡単な説明】
【図１】  本発明の累進多焦点レンズの概念図。
【図２】  遠用部プリズム測定基準点を通る水平断面図。
【図３】  近用部プリズム測定基準点を通る水平断面図。
【図４】  中間部主注視線上のプリズム水平線分の変化図。
【図５】  中間部主注視線上の平均屈折力の変化図。
【符号の説明】
１１      遠用部領域
１２      中間部領域
１３      近用部領域
２１      遠用部プリズム測定基準点（遠用部設計基準点）
２２      近用部プリズム測定基準点（近用部設計基準点）
２３      中間部主注視線
３１      レンズの物体側屈折面
３２      レンズの眼球側屈折面
４１      遠用部の眼球側屈折面の交点
４２      近用部の眼球側屈折面の交点
５１      遠用部の物体側屈折面の接線
５２      遠用部の眼球側屈折面の接線
５３      近用部の物体側屈折面の接線
５４      近用部の眼球側屈折面の接線
Ａ，Ａ’  遠用部水平断面位置
Ｂ，Ｂ’  近用部水平断面位置
【図１】
0003899659.tif 000002
【図２】
0003899659.tif 000003
【図３】
0003899659.tif 000004
【図４】
0003899659.tif 000005
【図５】
0003899659.tif 000006